(57)【特許請求の範囲】
【請求項１】
ワンチップ上に隣接して配置される複数の受光部と、
各受光部ごとに設けられ、当該受光部ごとに受光された光に応じた受光信号を出力するための端子と、
１又は隣接する所定数の前記受光部の組合せによって、それぞれ大きさの異なる複数の受光領域を形成可能とされている第１の受光素子と、
前記受光部からの受光信号を入力可能な１つの入力部を有し、当該入力部から入力された受光信号を処理する第１処理回路と、
１又は隣接する複数の前記受光部からの受光信号を前記入力部に選択的に入力可能な第１選択手段と、を備え、
前記第１の受光素子は、
複数の受光部が、隣接する同一形状の受光領域を形成するように構成されており、
前記隣接する同一形状の受光領域を形成する複数の受光部のうちの、一の受光部から出力される受光信号と、他の受光部から出力される受光信号とが別々に入力される入力部を有し、当該入力部に入力される受光信号のレベルの差を演算処理する第２処理回路と、
前記第１処理回路及び前記第２処理回路のうち、前記受光信号が入力される処理回路を選択可能な第２選択手段と、を備えることを特徴とする光電センサ用ＩＣ。
【請求項２】
前記第１の受光素子とは異なる第２の受光素子を接続可能な外部入力端子を備え、
前記外部入力端子は、前記第１の受光素子の端子と選択的又は共通に、前記第１処理回路の入力部に接続されることを特徴とする請求項１に記載の光電センサ用ＩＣ。
【請求項３】
前記第１処理回路に受光信号が入力される受光部の少なくとも一部と、前記第２処理回路に受光信号が入力される受光部の少なくとも一部と、が兼用されていることを特徴とする請求項１又は請求項２に記載の光電センサ用ＩＣ。
【請求項４】
投光手段と、
前記投光手段から投光された光のうち、被検出物で反射した光を集光させる集光レンズと、
請求項１ないし請求項３のいずれかに記載の光電センサ用ＩＣと、を備え、
前記光電センサ用ＩＣの第１の受光素子は、その受光領域が前記集光レンズにて集光された光がスポットを形成する位置に配されることを特徴とする光電センサ。
【請求項５】
投光手段と、
前記投光手段から投光された光のうち、被検出物で反射した光を集光させる集光レンズと、
ワンチップ上に隣接して配置される複数の受光部と、
各受光部ごとに設けられ、当該受光部ごとに受光された光に応じた受光信号を出力するための端子と、
１又は隣接する所定数の前記受光部の組合せによって、それぞれ大きさの異なる複数の受光領域を形成可能とされている第１の受光素子と、
前記受光部からの受光信号を入力可能な１つの入力部を有し、当該入力部から入力された受光信号を処理する第１処理回路と、
１又は隣接する複数の前記受光部からの受光信号を前記入力部に選択的に入力可能な第１選択手段と、を備える光電センサ用ＩＣと、を備え、
前記光電センサ用ＩＣの第１の受光素子は、その受光領域が前記集光レンズにて集光された光がスポットを形成する位置に配され、
前記投光手段と、前記第１の受光素子とが基板上に配され、
前記第１の受光素子は、複数の受光部が、隣接する同一形状の受光領域を形成するように構成されており、
前記隣接する同一形状の受光領域を形成する複数の受光部のうちの、一の受光領域を形成する受光部と他の受光領域を形成する受光部とは、前記投光手段と前記第１の受光素子とを結ぶ線方向に並んで配されており、
前記一の受光領域を形成する受光部から出力される受光信号と、前記他の受光領域を形成する受光部から出力される受光信号とが別々に入力される入力部を有し、当該入力部に入力される受光信号のレベルの差を演算処理する第２処理回路と、
前記第１処理回路及び前記第２処理回路のうち、前記受光信号が入力される処理回路を選択可能な第２選択手段と、を備え、
前記第１処理回路の出力に基づいて被検出物の検出を行うともに、前記第２処理回路の出力に基づいて前記被検出物までの距離を測定することを特徴とする光電センサ。
【請求項６】
前記投光手段と、前記第１の受光素子とが基板上に配され、
前記第１の受光素子は、複数の受光部が、隣接する同一形状の受光領域を形成するように構成されており、
前記隣接する同一形状の受光領域を形成する複数の受光部のうちの、一の受光領域を形成する受光部と他の受光領域を形成する受光部とは、前記投光手段と前記第１の受光素子とを結ぶ線方向に並んで配されており、
前記第１処理回路の出力に基づいて被検出物の検出を行うともに、前記第２処理回路の出力に基づいて前記被検出物までの距離を測定することを特徴とする請求項４に記載の光電センサ。
【発明の詳細な説明】
【技術分野】
【０００１】
本発明は、光電センサ用ＩＣ、及び光電センサに関する。
【背景技術】
【０００２】
従来より、検出精度を安定させ、かつ装置の小型化を実現するために、受光素子やその処理回路が搭載されたＩＣ（以下、「光電センサ用ＩＣ」という。）が備えられた光電センサが知られている。
この種の光電センサには、図９に示すように、本体ケーシング２内のプリント基板３に、ＬＥＤを具備する投光器４と、光電センサ用ＩＣ５とが搭載されている。
【０００３】
また、本体ケーシング２には、投光レンズ６が設けられており、投光器４からの光が投光レンズ６を介して平行光として出射されるとともに、被検出物Ｗにて反射した光が投光レンズ６と並んで設けられる受光レンズ７により集光されて光電センサ用ＩＣ５の受光素子８の受光面にスポット状に受光されるようになってている。そして、受光素子８に受光された光の受光量に応じて被検出物Ｗの有無等が検出されるようになっている。
【特許文献１】特開２００２−２５２３６８公報
【発明の開示】
【発明が解決しようとする課題】
【０００４】
ところで、受光素子８の受光面に受光される光のスポット径（受光面上における略円形の受光領域）の大きさは、被検出物Ｗまでの距離等に応じて異なるものである。
具体的には、被検出物Ｗまでの距離が長い場合には、遠方からの光を確実に取り込めるように、面積の大きな受光素子を使用する必要があり、被検出物Ｗまでの距離が短い場合には、面積の小さな受光素子を使用すれば足りる。
【０００５】
この場合、受光面に受光されるスポット径の大きさが異なるために、かかる光の大きさに応じた専用の受光素子を備えた光電センサ用ＩＣや、当該光電センサ用ＩＣを備えた光電センサをその都度用意しなければならないのでは、部品点数の増加や、管理コストの増加をまねく。
【０００６】
また、受光素子８の受光面（受光領域）を大きくして、スポット径の小さい光とスポット径の大きい光との両方の光を受光可能とする構成が考えられるが、この場合には、スポット径の小さい光を受光する場合にも、広い受光領域で受光するため、外乱光（ノイズ）等を受光するおそれが大きくなり望ましくない。すなわち、スポット径の小さい光を受光する場合には、小さい受光領域で受光することが望ましい。
【０００７】
本発明は上記のような事情に基づいて完成されたものであって、受光される光の範囲に応じた受光信号を出力させることができる受光素子で受光した光に基づいて処理を行う光電センサ用ＩＣ、及び光電センサ用ＩＣからの出力に基づき検出を行う光電センサを提供することを目的とする。
【課題を解決するための手段】
【０００８】
【０００９】
【００１０】
【００１１】
【００１２】
【００１３】
【００１４】
請求項１の発明は、ワンチップ上に隣接して配置される複数の受光部と、
各受光部ごとに設けられ、当該受光部ごとに受光された光に応じた受光信号を出力するための端子と、
１又は隣接する所定数の前記受光部の組合せによって、それぞれ大きさの異なる複数の受光領域を形成可能とされている第１の受光素子と、
前記受光部からの受光信号を入力可能な１つの入力部を有し、当該入力部から入力された受光信号を処理する第１処理回路と、
１又は隣接する複数の前記受光部からの受光信号を前記入力部に選択的に入力可能な第１選択手段と、を備え、
前記第１の受光素子は、
複数の受光部が、隣接する同一形状の受光領域を形成するように構成されており、
前記隣接する同一形状の受光領域を形成する複数の受光部のうちの、一の受光部から出力される受光信号と、他の受光部から出力される受光信号とが別々に入力される入力部を有し、当該入力部に入力される受光信号のレベルの差を演算処理する第２処理回路と、
前記第１処理回路及び前記第２処理回路のうち、前記受光信号が入力される処理回路を選択可能な第２選択手段と、を備える
請求項２の発明は、請求項１に記載のものにおいて、
前記第１の受光素子とは異なる第２の受光素子を接続可能な外部入力端子を備え、
前記外部入力端子は、前記第１の受光素子の端子と選択的又は共通に、前記第１処理回路の入力部に接続されるところに特徴を有する。
【００１５】
請求項３の発明は、請求項１又は請求項２に記載のものにおいて、前記第１処理回路に受光信号が入力される受光部の少なくとも一部と、前記第２処理回路に受光信号が入力される受光部の少なくとも一部と、が兼用されているところに特徴を有する。
【００１６】
【００１７】
請求項４の発明に係る光電センサは、投光手段と、
前記投光手段から投光された光のうち、被検出物で反射した光を集光させる集光レンズと、
請求項１ないし請求項３のいずれかに記載の光電センサ用ＩＣと、を備え、
前記光電センサ用ＩＣの第１の受光素子は、その受光領域が前記集光レンズにて集光された光がスポットを形成する位置に配されるところに特徴を有する。
【００１８】
請求項５の発明は、投光手段と、
前記投光手段から投光された光のうち、被検出物で反射した光を集光させる集光レンズと、
ワンチップ上に隣接して配置される複数の受光部と、
各受光部ごとに設けられ、当該受光部ごとに受光された光に応じた受光信号を出力するための端子と、
１又は隣接する所定数の前記受光部の組合せによって、それぞれ大きさの異なる複数の受光領域を形成可能とされている第１の受光素子と、
前記受光部からの受光信号を入力可能な１つの入力部を有し、当該入力部から入力された受光信号を処理する第１処理回路と、
１又は隣接する複数の前記受光部からの受光信号を前記入力部に選択的に入力可能な第１選択手段と、を備える光電センサ用ＩＣと、を備え、
前記光電センサ用ＩＣの第１の受光素子は、その受光領域が前記集光レンズにて集光された光がスポットを形成する位置に配され、
前記投光手段と、前記第１の受光素子とが基板上に配され、
前記第１の受光素子は、複数の受光部が、隣接する同一形状の受光領域を形成するように構成されており、
前記隣接する同一形状の受光領域を形成する複数の受光部のうちの、一の受光領域を形成する受光部と他の受光領域を形成する受光部とは、前記投光手段と前記第１の受光素子とを結ぶ線方向に並んで配されており、
前記一の受光領域を形成する受光部から出力される受光信号と、前記他の受光領域を形成する受光部から出力される受光信号とが別々に入力される入力部を有し、当該入力部に入力される受光信号のレベルの差を演算処理する第２処理回路と、
前記第１処理回路及び前記第２処理回路のうち、前記受光信号が入力される処理回路を選択可能な第２選択手段と、を備え、
前記第１処理回路の出力に基づいて被検出物の検出を行うともに、前記第２処理回路の出力に基づいて前記被検出物までの距離を測定するところに特徴を有する。
【００１９】
請求項６の発明は、請求項４に記載のものにおいて、前記投光手段と、前記第１の受光素子とが基板上に配され、
前記第１の受光素子は、複数の受光部が、隣接する同一形状の受光領域を形成するように構成されており、
前記隣接する同一形状の受光領域を形成する複数の受光部のうちの、一の受光領域を形成する受光部と他の受光領域を形成する受光部とは、前記投光手段と前記第１の受光素子とを結ぶ線方向に並んで配されており、
前記第１処理回路の出力に基づいて被検出物の検出を行うともに、前記第２処理回路の出力に基づいて前記被検出物までの距離を測定するところに特徴を有する。
【発明の効果】
【００２０】
【００２１】
【００２２】
【００２３】
【００２４】
【００２５】
【００２６】
＜請求項１及び請求項２の発明＞
本構成によれば、第２選択手段により、第１処理回路により処理を行うか、若しくは、第２処理回路による演算処理を行うかの選択を行うことができる。
また、第２処理回路を選択した場合に、例えば、投光された光のうち被検出物に反射する光を受光することで当該被検出物でまでの距離検出が可能な光電センサに用いると、当該２つの受光部から出力される受光信号に基づき距離検出を行うことが可能になる。
【００２７】
＜請求項３の発明＞
本構成によれば、受光部を兼用（共通化）することで、光電センサ用ＩＣを光電センサに用いた場合に、兼用（共通化）する分だけ受光部の数の少ない受光素子を用いることが可能になる。
【００２８】
【００２９】
＜請求項４の発明＞
本構成によれば、受光素子に受光された光の受光量に基づき、被検出物の検出等を行うことが可能になる。
【００３０】
＜請求項５の発明＞
本構成によれば、簡易な構成で、被検出物の検出及び被検出物までの距離の測定を行うことができる。
【００３１】
＜請求項６の発明＞
本構成によれば、簡易な構成で、被検出物の検出及び被検出物までの距離の測定を行うことができる。
【発明を実施するための最良の形態】
【００３２】
＜実施形態１＞
本発明の実施形態１を図１ないし図６を参照しつつ説明する。
本実施形態の光電センサ１０は、受光量に応じて被検出物Ｗの有無等を検出する物体検出センサ、及び、受光位置の変化に応じて被検出物Ｗまでの距離を検出する距離検出センサの両方の機能を有するものである。なお、詳しくは後述するが、本実施形態の光電センサ１０は、物体検出センサとして用いる場合には、被検出物Ｗまでの距離が異なる場合であっても、１台の光電センサ１０で被検出物Ｗの有無等が検出可能になっている。
【００３３】
１．光電センサの構成
光電センサ１０は、本体ケーシング１１内に、プリント基板１２が収容されている。プリント基板１２上には、ＬＥＤ１３を具備する投光器１４（投光手段）と、光電センサ用ＩＣ２０とが搭載されて成る。
【００３４】
本体ケーシング１１のうち、投光器１４の前方（図１の右下方）に位置する部分には、投光レンズ１５が設けられ、ＬＥＤ１３からの光を平行光として出射できるようになっている。一方、本体ケーシング１１のうち、光電センサ用ＩＣ２０の前方に位置する部分には、受光レンズ１６（本発明の「集光レンズ」に相当）が設けられ、被検出物Ｗにて反射した光が受光レンズ１６にて収束（集光）されて光電センサ用ＩＣ２０に１つだけ設けられる受光素子３０の受光面３０Ａにスポット状（受光面上における受光領域が略円形）に受光されるようになっている。
【００３５】
受光素子３０（第１の受光素子）はワンチップ上（シリコンなどの半導体）に形成されており、図２に示すように、全体として長方形状をなし、受光面３０Ａの全体（全体の受光領域）が５つの受光領域に区画され、４つの受光部Ｐ１〜Ｐ４のそれぞれがフォトダイオードから構成されている（受光部Ｐ２は、２つの部分が１つの受光部として構成されている）。
【００３６】
各受光部Ｐ１〜Ｐ４には、それぞれ端子Ｔ１〜Ｔ４が備えられており、各受光部Ｐ１〜Ｐ４ごとに、受光した光の量に応じた受光信号が対応する端子Ｔ１〜Ｔ４から出力されるようになっている。
【００３７】
なお、図示はしないが、受光素子３０には、電源ラインから接続され、各受光部に共通に接続される入力端子から電圧が与えられるようになっている。また、詳しくは後述するが、各受光部Ｐ１〜Ｐ４の端子から出力される受光信号に基づき、例えば、受光部Ｐ１のみの受光量を検出することが可能であるが、受光部Ｐ１を含む複数の受光部、例えば、受光部Ｐ１〜Ｐ３の端子Ｔ１〜Ｔ３から出力される受光信号を加えることで、受光部Ｐ１〜Ｐ３の受光領域が合わされた受光量の受光信号に基づき、検出を行うことができる。
【００３８】
４つの受光部Ｐ１〜Ｐ４のうち、受光部Ｐ１（の受光領域）は、正方形状であって受光面３０Ａの略右半分のうちの中央部に位置し、受光部Ｐ２（の受光領域）は、横長の長方形状であって受光部Ｐ１の上下に位置する。なお、受光部Ｐ２は、上下２箇所が合わせられて１つの受光部として構成されているため、これら２箇所（の受光領域）の全体での受光量が１つの端子Ｔ２から出力される。
【００３９】
受光部Ｐ３及び受光部Ｐ４（の受光領域）は、受光素子３０の受光面３０Ａ全体のうちの略左半分に設けられており、受光部Ｐ３及び受光部Ｐ４（の受光領域）は、共に縦長の長方形状であって、略左半分のうちの中間を境界として同一形状（同一面積）となっている。そして、受光部Ｐ３及び受光部Ｐ４の並び（左右）方向に投光器１４が位置（一の受光領域を形成する受光部と他の受光領域を形成する受光部とは、投光手段と第１の受光素子とを結ぶ線方向に並んで配される位置）するようになっている（図１参照）。
【００４０】
これにより、投光器１４から斜め（前方よりも受光素子３０側）方向に投光した光は、被検出物Ｗにて反射して受光部Ｐ３,Ｐ４（の受光領域）にスポット状に受光される。ここで、この受光位置は、被検出物Ｗまでの距離により異なる（被検出物Ｗが近くなれば受光部Ｐ３側にスポットが形成され、被検出物Ｗが遠くなれば受光部Ｐ４側にスポットが形成される）ため、受光部Ｐ３,Ｐ４の端子のそれぞれから出力される受光信号に基づき光電センサから被検出物Ｗまでの距離（被検出物Ｗの前後方向の位置）の検出が行われるようになっている。
【００４１】
一方、物体検出の際には、被検出物Ｗが比較的近い場合（被検出物Ｗまでの距離に応じてスポット径の小さい光が受光される場合）には、受光部Ｐ１の受光領域のみで受光し、受光部Ｐ１の端子Ｔ１から出力される受光量に応じた受光信号に基づき被検出物Ｗの有無等が検出されるようになっている。
【００４２】
一方、被検出物Ｗが遠いためより大きい受光領域が必要な場合（被検出物Ｗまでの距離に応じてスポット径の大きい光が受光される場合）には、例えば、受光部Ｐ１,Ｐ２,Ｐ３を合わせた受光領域（受光面）にスポットが受光されるようにし、受光部Ｐ１,Ｐ２,Ｐ３の端子Ｔ１〜Ｔ３から出力される受光量の合計に応じた受光信号に基づき被検出物Ｗの有無等が検出されるようになっている。
【００４３】
２．光電センサ用ＩＣの電気的構成
図３，４に光電センサ用ＩＣの電気的構成を示す。図５は、図３，４の等価回路である。
図３に示すように、光電センサ用ＩＣ２０は、受光素子３０と、受光素子３０からの電流を電圧に変換するＩ−Ｖ変換回路２１（２１Ａ，２１Ｂ）と、Ｉ−Ｖ変換回路２１からの電圧信号が入力される選択回路２２（本発明の「第２選択手段」に相当）と、選択回路２２から選択的に出力される電圧信号を加算する加算回路２３（本発明の「第１処理回路」に相当）と、選択回路２２から選択的に出力される電圧信号の差を演算する差動回路２４（本発明の「第２処理回路」に相当）と、加算回路２３や差動回路２４から出力された信号に基づき被検出物Ｗの検出を行うＣＰＵ２５（central processing unit） と、を備えて構成されている。
【００４４】
受光素子３０の４つの受光部Ｐ１〜Ｐ４の端子Ｔ１〜Ｔ４は、それぞれ対応する外部端子Ａ〜Ｄに接続されている。
具体的には、受光部Ｐ１の端子Ｔ１は、外部端子Ａと電気的に接続され、受光部Ｐ２の端子Ｔ２は、外部端子Ｂと電気的に接続され、受光部Ｐ３の端子Ｔ３は、外部端子Ｃと電気的に接続され、受光部Ｐ４の端子Ｔ４は、外部端子Ｄと電気的に接続されている。
また、受光部Ｐ１の端子Ｔ１は、Ｉ−Ｖ変換回路２１Ａに電気的に接続されているとともに、受光部Ｐ４の端子Ｔ４は、Ｉ−Ｖ変換回路２１Ｂに電気的に接続されている。
【００４５】
選択回路２２は、Ｉ−Ｖ変換回路２１Ａと加算回路２３及び差動回路２４との接続、並びにＩ−Ｖ変換回路２１Ｂと加算回路２３及び差動回路２４との接続を切り替えられるようになっている。具体的には、光電センサの操作手段（図示しない）により被検出物の検出又は距離検出が選択可能となっており、かかる選択結果に応じた信号が外部端子Ｅ及び入出力回路２６を介してＣＰＵ２５に入力され、ＣＰＵ２５からの信号により選択回路２２の接点部２２Ｂ〜２２Ｄが切り替えられるようになっている。なお、接点部２２Ａについては、被検出物の検出及び距離検出時の両方で接続（オン）されるようになっている。
【００４６】
加算回路２３は、２つの入力部２３Ａ，２３Ｂを有し、これら両入力部に電圧信号が入力された場合には、かかる電圧信号を加算してＣＰＵ２５にデジタル信号を出力する。なお、一方の入力部のみから電圧信号が入力された場合には、加算は行われず、デジタル信号がＣＰＵ２５に出力されるようになっている。
【００４７】
差動回路２４は、２つの入力部２４Ａ，２４Ｂを有し、これら両入力部に電圧信号が入力された場合には、かかる電圧信号の差を演算し、ＣＰＵ２５にデジタル信号を出力する。
ＣＰＵ２５は、詳しくは後述するが、加算回路２３及び差動回路２４からの出力に応じて被検出物Ｗの有無や、被検出物Ｗまでの距離を検出するようになっている。
次に、本実施形態では、被検出物の検出方法によって回路構成が異なるため、以下に場合を分けて説明する。
【００４８】
（１）被検出物の検出時の電気的構成
本実施形態では、物体検出時には、光電センサから被検出物Ｗまでの距離（受光面上のスポット径の大きさ）に応じて回路構成が異なるようになっている。
具体的には、受光部Ｐ１のみの受光量に基づき被検出物Ｗの有無を検出する場合（被検出物までの距離が比較的近い場合）には、図３の回路構成を用いる。これにより図６上段に示すように受光部Ｐ１の受光領域で被検出物の検出が可能となる。
一方、受光部Ｐ１〜Ｐ３（受光部Ｐ１〜Ｐ３が組み合わせられる組み合せ受光部）の受光領域における受光量に基づき被検出物Ｗの有無を検出する場合（被検出物までの距離が比較的遠い場合）には、図３に示すように、短絡素子αにより外部端子Ａ，Ｂ間を短絡させるとともに、短絡素子βにより外部端子Ａ，Ｃ間を短絡させる。したがって、短絡素子α，βが本発明の「第１選択手段」に相当する。これにより図６中段に示すように受光部Ｐ１〜Ｐ３を合わせた受光領域で被検出物の検出が可能となる。なお、図５に示すように、外部端子Ｘが設けられ、外部端子Ｘ（本発明の「外部入力端子」に相当）と外部端子Ａとの間に外付けの受光素子３５（本発明の「第２の受光素子」に相当）を取付けてもよく、このようにすれば、外付けの受光素子３５からの出力をＩ−Ｖ変換回路２１Ａに入力させることができる。
【００４９】
また、物体検出時には、図３に示すように選択回路２２の接点部２２Ｂ〜２２Ｄのうち、１つの接点部２２Ａのみが接続されるように切り替えられる。具体的には、光電センサの操作手段（図示しない）により物体検出が選択されると、かかる信号が外部端子Ｅ及び入出力回路２６を介してＣＰＵ２５に入力され、ＣＰＵ２５からの信号により選択回路２２の１つの接点部２２Ａのみがオン（接続）されるようになっている。
【００５０】
これにより、受光素子３０における受光量に応じた電圧信号が加算回路２３を介してＣＰＵ２５に入力されるようになっている。なお、物体検出時には、加算回路２３の一方の入力部２３Ａにしか入力されないため、電圧信号の加算は行われず、ＣＰＵ２５に出力されるようになっている。
【００５１】
ＣＰＵ２５は、入力された受光量のレベルを予めメモリ（図示しない）に記憶されている所定の閾値と比較し、受光量のレベルが所定の閾値よりも大きい場合には、被検出物Ｗを検出したと判断し、かかる検出結果を入出力回路２６を介して外部端子Ｅから表示手段（図示しない）等に出力する。
【００５２】
（２）距離検出時の電気的構成
距離検出時には、短絡素子βにより外部端子Ａ，Ｃ間を短絡させる。
また、図４に示すように、選択回路２２の全ての接点部２２Ａ〜２２Ｄが接続されるように切り替えられる。具体的には、光電センサの操作手段（図示しない）により距離検出が選択されると、かかる信号が外部端子Ｅ及び入出力回路２６を介してＣＰＵ２５に入力され、ＣＰＵ２５からの信号により選択回路２２の全ての接点部２２Ａ〜２２Ｄがオン（接続）されるようになっている。
【００５３】
これにより、加算回路２３の一方の入力部２３Ａ及び差動回路２４の一方の入力部２４ＡがＩ−Ｖ変換回路２１Ａと電気的に接続されるとともに、加算回路２３の他方の入力部２３Ｂ及び差動回路２４の他方の入力部２４ＢがＩ−Ｖ変換回路２１Ｂと電気的に接続される。このとき、図６下段に示すように受光部Ｐ３，Ｐ４の受光領域で被検出物Ｗの距離（前後方向の位置）検出が可能となる。
【００５４】
加算回路２３は、両入力部２３Ａ，２３Ｂから入力された受光量を加算し、ＣＰＵ２５に出力する。差動回路２４は、両入力部２４Ａ，２４Ｂから入力された受光量の差分（Ｐ３の受光量とＰ４の受光量の差）を演算し、ＣＰＵ２５に出力する。
【００５５】
ＣＰＵ２５は、加算回路２３から出力された受光量を所定の閾値と比較する。加算された受光量が所定の閾値よりも小さい場合には、受光量が小さすぎて正確に被検出物Ｗまでの距離が測定されないため、かかる情報を入出力回路２６を介して外部端子Ｅから出力する。
【００５６】
そして、ＣＰＵ２５は、差動回路２４から出力された差分に基づき、被検出物Ｗまでの距離を演算する。例えば、求めれた差分により、受光部Ｐ３の受光量が受光部Ｐ４の受光量よりも大きい場合には、所定の基準位置（このとき、スポットの中心が受光部Ｐ３とＰ４の中間に位置する）よりも被検出物Ｗが近く、受光部Ｐ４の受光量が受光部Ｐ３の受光量よりも大きい場合には、基準位置よりも被検出物Ｗが遠い。したがって、かかる差分により求められた被検出物Ｗまでの距離（被検出物Ｗの位置）の信号を入出力回路２６を介して外部端子Ｅから表示手段（図示しない）等に出力する。
【００５７】
３．本実施形態の効果
（１）受光面に受光させる光の範囲が異なる場合に、かかる光の範囲に応じて専用の受光素子３０をその都度用意しなければならないのでは、部品点数が多くなってしまう。また、受光素子３０の受光面を大きくして、範囲の小さい光と範囲の大きい光との両方の光を受光可能とする場合には、範囲の小さい光を受光する場合にも、広い範囲の受光面（受光領域）で受光するため、外乱光（ノイズ）等を受光するおそれが大きくなるため望ましくない。すなわち、範囲の小さい光を受光する場合には、小さい範囲の受光面（受光領域）で受光することが望ましい。
そこで、本実施形態によれば、受光部Ｐ１に受光された光に応じた受光信号を端子Ｔ１から出力するだけでなく、受光部Ｐ１〜Ｐ３が合わせられた受光領域に受光された光に応じた受光信号を端子Ｔ１〜Ｔ３から出力することができる。したがって、例えば、１つの受光部Ｐ１の受光領域に収まる光については当該１つの受光部Ｐ１で受光させ、１つの受光部Ｐ１の受光領域に収まらない範囲の光については、受光部Ｐ１〜Ｐ３が組み合わせられる受光領域に受光させる。これにより、受光される光の受光領域に応じた受光信号を端子Ｔ１〜Ｔ３から出力させることができるから、受光される光の範囲に応じた専用の受光素子を用意する必要がなく部品点数を少なくすることができる。
【００５８】
（２）本実施形態によれば、受光部Ｐ１の受光領域及び受光部Ｐ１〜Ｐ３が合わせられた受光領域（受光面）は、正方形状とされているから、スポット（円形）状の光を受光しやすくことができる。
ここで、スポット（円形）状の光を受光する場合には、理想的には、円形の受光領域（受光面）とした方が、スポット（円形）状の光を受光領域いっぱいに受光することができるが、かかる場合には、ウエハをカットする際に、円形にカットする工程が複雑であるだけでなく、円形にカットすると、利用できないウエハの残りかすが生じてしまう。したがって、かかる観点からも受光部の受光領域を正方形状とすることが望ましい。
【００５９】
（３）本実施形態によれば、略同一形状（同一面積）の受光領域を有する２つの受光部Ｐ３,Ｐ４を少なくとも含み、かつ、当該２つの受光部Ｐ３,Ｐ４が隣り合うように近接配置（隣接）されている。したがって、２つの受光部Ｐ３,Ｐ４の受光領域に光が照射された場合には、受光量の割合に応じた受光信号がそれぞれの受光部の端子Ｔ３，Ｔ４から出力される。したがって、例えば、当該受光素子３０を、投光された光のうち被検出物Ｗに反射する光を受光することで当該被検出物までの距離（被検出物の位置）検出が可能な光電センサに用いることができる。
【００６０】
（４）本実施形態によれば、短絡素子α，β（第１選択手段）により１の受光部Ｐ１又は複数の受光部Ｐ１〜Ｐ３からの受光信号を加算回路２３（第１処理回路）の１つの入力部２３Ａに選択的に入力させて受光信号を処理することができる。したがって、例えば、１つの受光部Ｐ１のの受光領域に収まる光については短絡素子α，β（第１選択手段）を接続せずに、受光部Ｐ１で受光された光の受光信号のみを加算回路２３（第１処理回路）に入力させ、受光部Ｐ１のの受光領域に収まらない光については、短絡素子α，β（第１選択手段）を接続して受光部Ｐ１〜Ｐ３で受光された光の受光信号を加算回路２３（第１処理回路）に入力させる。これにより、受光される光の受光領域に応じた受光信号を加算回路２３（第１処理回路）に入力させることができるから、受光される光の範囲に応じた専用の受光素子３０を用意する必要がなく部品点数を少なくすることができる。
【００６１】
（５）第１の受光素子３０とは異なる第２の受光素子３５を接続可能な外部入力端子Ｘは、第１の受光素子３０の端子Ｔ１〜Ｔ３と共通に、加算回路２３（第１処理回路）の入力部２３Ａに接続されるから、加算回路２３（第１処理回路）は、第１の受光素子３０だけでなく、第２の受光素子３０から出力される受光信号の処理を行うことができる。
【００６２】
（６）２つの受光部Ｐ３,Ｐ４のうち、一方の受光部Ｐ３から出力される受光信号と、他方の受光部Ｐ４から出力される受光信号と、が別々に入力される入力部２４Ａ，２４Ｂに入力される受光信号のレベルの差を演算処理する差動回路２４（第２処理回路）と、加算回路２３（第１処理回路）及び差動回路２４のうち、受光信号が入力される処理回路を選択可能な選択回路２２（第２選択手段）と、を備える。したがって、選択回路２２により、加算回路２３により処理を行うか、若しくは、差動回路２４による演算処理を行うかの選択を行うことができる。
【００６３】
（７）２つの受光部Ｐ３,Ｐ４のうち、一方の受光部Ｐ３から出力される受光信号は、加算回路２３（第１処理回路）及び差動回路２４（第２処理回路）の両方の入力部２３Ａ，２４Ａに入力されるから、受光部Ｐ３を共通化（兼用）することで、光電センサ用ＩＣ２０を光電センサに用いた場合に受光部の数を少なくしつつ、物体検出及び距離検出を行うことが可能になる。
【００６４】
＜実施形態２＞
次に、本発明の実施形態２を図７又は図８を参照しつつ説明する。なお、実施形態１と同一の構成については、同一の符号を付して説明を省略する。
実施形態１の受光素子３０は４つの受光部Ｐ１〜Ｐ４から構成されたが、実施形態２の受光素子４０は２つの受光部から構成されている。
具体的には、図７に示すように、正方形状の受光部Ｑ１と、受光部Ｑ１の三辺に近接するように取り囲むコ字上の受光部Ｑ２とから構成されている。
【００６５】
受光部Ｑ１の端子は、外部端子ＡとＩ−Ｖ変換回路２１Ａとに接続されている。受光部Ｑ２の端子は、外部端子Ｂに接続されている。この状態では、これにより図８上段に示すように受光部Ｑ１の受光領域で被検出物の検出が可能となる。
次に、外部端子Ａと外部端子Ｂとを短絡素子αにより短絡することにより、受光部Ｑ１及び受光部Ｑ２の両方の受光領域に受光された光の受光量に応じた電流がＩ−Ｖ変換回路２１Ａ，２１Ｂに入力されるようになっている。これにより図８下段に示すように受光部Ｑ１，Ｑ２の全受光領域で被検出物の検出が可能となる。
そして、Ｉ−Ｖ変換回路２１Ａ，２１Ｂからの出力が加算回路２３を介してＣＰＵ２５に入力されることで、被検出物Ｗの有無等を検出することができる。
【００６６】
一方、外部端子Ｂと外部端子Ｃとを短絡素子βにより短絡することにより、受光部Ｑ１と受光部Ｑ２との受光領域（受光面）に受光された光の受光量の差に応じた出力を差動回路２４からＣＰＵ２５に入力させることができる。
【００６７】
＜実施形態３＞
次に、本発明の実施形態３を図９ないし図１１を参照しつつ説明する。実施形態３の受光素子５０は、図９に示すように、実施形態１の受光素子３０の４つの受光部Ｐ１〜Ｐ４のうちの受光部Ｐ１〜Ｐ３で構成され、受光部Ｐ４は有さないものである。したがって、実施形態１と同一の構成については、同一の符号を付して説明を省略する。
【００６８】
図１０，１１に示すように、受光部Ｐ１のみの受光領域を用いて被検出物Ｗの検出を行う場合には、端子Ａ〜Ｃをオープンにする。このとき、（ＣＰＵ２５からの信号に基づき）選択回路２２の接点部２２Ａのみをオン（接続）することにより、受光部Ｐ１の受光量に基づいて、被検出物Ｗの検出を行うことができる。
また、受光部Ｐ１及び受光部Ｐ２の受光領域（長方形状の受光領域）を用いて、被検出物Ｗの検出を行う場合には、端子Ａ，Ｂ間に短絡素子αを接続する。このとき、（ＣＰＵ２５からの信号に基づき）選択回路２２の接点部２２Ａのみをオン（接続）することにより、受光部Ｐ１の受光量と、受光部Ｐ１及び受光部Ｐ２が合わせられた（合計の）受光量に基づいて（合計の受光量に応じた受光信号が加算回路２３の入力部２３Ａに入力され）、被検出物Ｗの検出を行うことができる。なお、このとき、接点部２２Ｂについてもオン（接続）すれば、更に受光部Ｐ３からの受光信号が入力部２３Ｂに入力され、加算回路２３にて受光部Ｐ１，Ｐ２の受光量と加算されるから、受光部Ｐ１〜Ｐ３の受光領域に受光される光に基づいて、被検出物Ｗの検出を行うこともできる。
【００６９】
一方、距離検出を行う場合には、受光部Ｐ１及び受光部Ｐ２の受光領域を用いて、物体検出を行う場合と同様に、短絡素子αを接続する。
選択回路２２については、（ＣＰＵ２５からの信号に基づき）選択回路２２の全ての接点部２２Ａ〜２２Ｄをオン（接続）する。
これにより、距離検出時には、全体として長方形状となる受光部Ｐ１及び受光部Ｐ２の受光領域に受光された光の受光信号と、受光部Ｐ１及び受光部Ｐ２を合わせた受光領域と同一形状となる受光部Ｐ３の受光領域に受光された光の受光信号と、が差動回路２４のそれぞれの入力部２４Ａ，２４Ｂに入力されることになる。したがって、ＣＰＵ２５は、差動回路２４からの出力に応じて、被検出物Ｗまでの距離（被検出物の位置）の検出を行うようになっている。
【００７０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００７１】
（１）フォトダイオード（第１の受光素子とは異なる第２の受光素子）を外部入力端子に外付けする構成に加えて、例えば、受光部Ｐ１から接点Ｙ（図５参照）までの間にスイッチ（図示しない）を設け、外部入力端子Ｘに接続される受光素子３５（フォトダイオード）からの出力又は受光部Ｐ１からの出力を選択的に加算回路（第１処理回路）の入力部に入力できるように構成してもよい。
【００７２】
（２）実施形態１，３では、受光素子は、４つの受光部Ｐ１〜Ｐ４又は３つの受光部Ｐ１〜Ｐ３から構成され、実施形態２では、受光素子は、２つの受光部Ｑ１，Ｑ２から構成されたが、これら以外の数の受光部が設けられる受光素子であってもよい。
【図面の簡単な説明】
【００７３】
【図１】本発明の実施形態１にかかる光電センサの概略的構成を示す斜視図
【図２】受光素子を受光面側から見た図
【図３】被検出物の検出時における光電センサ用ＩＣの電気的構成を示す図
【図４】距離検出時における光電センサ用ＩＣの電気的構成を示す図
【図５】光電センサ用ＩＣの等価回路を示す図
【図６】受光素子の異なる受光領域を示す図
【図７】実施形態２にかかる光電センサ用ＩＣの電気的構成を示す図
【図８】受光素子を受光面側から見た図
【図９】実施形態３の受光素子を受光面側から見た図
【図１０】光電センサ用ＩＣの電気的構成を示す図
【図１１】光電センサ用ＩＣの等価回路を示す図
【図１２】従来の光電センサの概略的構成を示す斜視図
【符号の説明】
【００７４】
１０…光電センサ
１２…プリント基板
１４…投光器（投光手段）
１６…受光レンズ（集光レンズ）
２０…光電センサ用ＩＣ 
２２…選択回路（第２選択手段）
２３…加算回路（第１処理回路）
２４…差動回路（第２処理回路）
３０Ａ…受光面
３０，４０，５０…受光素子（第１の受光素子）
３５…外付け受光素子（第２の受光素子）
Ａ〜Ｅ…外部端子
２５…ＣＰＵ 
Ｐ１〜Ｐ４，Ｑ１，Ｑ２…受光部
Ｔ１〜Ｔ４…端子
Ｗ…被検出物
Ｘ…外部入力端子
α，β…短絡素子（第１選択手段）
【図１】
0005216188.tif 000002
【図２】
0005216188.tif 000003
【図３】
0005216188.tif 000004
【図４】
0005216188.tif 000005
【図５】
0005216188.tif 000006
【図６】
0005216188.tif 000007
【図７】
0005216188.tif 000008
【図８】
0005216188.tif 000009
【図９】
0005216188.tif 000010
【図１０】
0005216188.tif 000011
【図１１】
0005216188.tif 000012
【図１２】
0005216188.tif 000013